(57)【要約】【課題】発光部から植物への光の照射効率を高め、しかもコスト低減を図る。【解決手段】植物栽培用照明器具１は、Ｙ軸方向に延在する支持部材１１と、支持部材１１により支持されＹ軸方向に延在又は配列する１つ又は複数の発光部１２と、支持部材１１のＸ軸方向の一方側及び他方側にそれぞれ、Ｙ軸方向の軸線回りに１１支持部材に対して相対的に回動変位可能にかつ支持部材１１に対する複数の回動変位位置に保持可能に取り付けられた第１及び第２の反射部材１３Ａ，１３Ｂとを備える。第１及び第２の反射部材１３Ａ，１３Ｂは、発光部１２からの光の一部を反射して、発光部１２からの光の、ＸＺ平面と平行な面内の照射範囲を、前記複数の回動変位位置に応じて広狭が互いに異なる照射範囲に設定する。【選択図】図１
2019024433.tif 000002
【特許請求の範囲】
【請求項１】
第１の方向に延在する支持部材と、
前記支持部材により支持され前記第１の方向に延在又は配列する１つ又は複数の発光部と、
前記支持部材の前記第１の方向と直交する第２の方向の一方側及び他方側にそれぞれ、前記第１の方向の軸線回りに前記支持部材に対して相対的に回動変位可能にかつ前記支持部材に対する複数の回動変位位置に保持可能に取り付けられた第１及び第２の反射部材と、
を備え、
前記第１及び第２の反射部材は、前記第１の方向に延在して前記１つ又は複数の発光部からの光の一部を反射して、前記１つ又は複数の発光部からの光の、前記第１の方向と直交する面内の照射範囲を、前記複数の回動変位位置に応じて広狭が互いに異なる照射範囲に設定する、
ことを特徴とする植物栽培用照明器具。
【請求項２】
前記第１及び第２の反射部材は、フリーストップヒンジを介して前記支持部材に取り付けられたことを特徴とする請求項１記載の植物栽培用照明器具。
【請求項３】
第１の方向に延在する支持部材と、
前記支持部材により支持され前記第１の方向に延在又は配列する１つ又は複数の発光部と、
前記支持部材の前記第１の方向と直交する第２の方向の一方側及び他方側にそれぞれ取り外し可能に取り付けられ、前記第１の方向に延在して前記１つ又は複数の発光部からの光の一部を反射して、前記１つ又は複数の発光部からの光の、前記第１の方向と直交する面内の照射範囲を設定する第１及び第２の反射部材と、
を備えたことを特徴とする植物栽培用照明器具。
【請求項４】
前記第１の反射部材及び前記支持部材に、互いに係合する第１及び第２の係合部がそれぞれ設けられ、
前記第１の反射部材の前記第１の係合部は、前記第１の方向及び前記第２の方向が水平方向とされた状態で、前記支持部材の前記第２の係合部に対して、上方から係合可能であるとともに前記支持部材の前記第２の係合部に対して上方へ移動させることで係合解除可能であり、
前記第２の反射部材及び前記支持部材に、互いに係合する第３及び第４の係合部がそれぞれ設けられ、
前記第２の反射部材の前記第３の係合部は、前記第１の方向及び前記第２の方向が水平方向とされた状態で、前記支持部材の前記第４の係合部に対して、上方から係合可能であるとともに前記支持部材の前記第４の係合部に対して上方へ移動させることで係合解除可能である、
ことを特徴とする請求項３記載の植物栽培用照明器具。
【請求項５】
前記第１の反射部材及び前記支持部材に、互いに係合する第１及び第２の係合部がそれぞれ設けられ、
前記第１の反射部材の前記第１の係合部は、前記支持部材の前記第２の係合部に対して、前記第２の係合部の前記第１の方向の端部から係合可能であるとともに前記支持部材の前記第２の係合部に対して前記第１の方向へ移動させることで係合解除可能であり、
前記第１及び第２の係合部は、互いに係合している状態において、前記第１の係合部が前記第２の係合部に対して前記第１の方向以外の方向に相対的に移動しないように規制し、
前記第２の反射部材及び前記支持部材に、互いに係合する第３及び第４の係合部がそれぞれ設けられ、
前記第２の反射部材の前記第３の係合部は、前記支持部材の前記第４の係合部に対して、前記第４の係合部の前記第１の方向の端部から係合可能であるとともに前記支持部材の前記第４の係合部に対して前記第１の方向へ移動させることで係合解除可能であり、
前記第３及び第４の係合部は、互いに係合している状態において、前記第３の係合部が前記第４の係合部に対して前記第１の方向以外の方向に相対的に移動しないように規制する、
ことを特徴とする請求項３記載の植物栽培用照明器具。
【請求項６】
請求項１又は２記載の植物栽培用照明器具を用いて前記１つ又は複数の発光部からの光を植物に照射することで植物を栽培する植物の栽培方法であって、
前記植物の成長の相対的な前段階では、前記植物の成長の相対的な後段階に比べて、前記照射範囲が相対的に狭まるように、前記第１及び第２の反射部材の回動位置を設定することを特徴とする植物の栽培方法。
【請求項７】
請求項３乃至５のいずれかに記載の植物栽培用照明器具を用いて前記１つ又は複数の発光部からの光を植物に照射することで植物を栽培する植物の栽培方法であって、
前記植物の成長の相対的な前段階では、前記第１及び第２の反射部材を前記支持部材に取り付け、前記植物の成長の相対的な後段階では、前記第１及び第２の反射部材を前記支持部材から取り外すことを特徴とする植物の栽培方法。
【請求項８】
請求項３乃至５のいずれかに記載の植物栽培用照明器具を用いて前記１つ又は複数の発光部からの光を植物に照射することで植物を栽培する植物の栽培方法であって、
前記照射範囲の広狭が各組ごとに異なる複数組の前記第１及び第２の反射部材を用意し、
前記植物の成長の相対的な前段階では、前記照射範囲が相対的に狭い前記第１及び第２の反射部材の組を前記支持部材に選択的に取り付け、前記植物の成長の相対的な後段階では、前記照射範囲が相対的に広い前記第１及び第２の反射部材の組を前記支持部材に選択的に取り付けることを特徴とする植物の栽培方法。
【発明の詳細な説明】
【技術分野】
【０００１】
本発明は、植物栽培用照明器具、及び、これを用いた植物の栽培方法に関するものである。
【背景技術】
【０００２】
下記特許文献１に開示されている植物栽培用照明器具では、発光体と該発光体を覆う断面Ｕ字状の笠とを有している。この従来の植物栽培用照明器具によれば、前記発光体から植物に向かわない方向へ進行した光が前記笠により反射されて植物に向かうようになり、発光体から植物への照射効率が高められる。
【０００３】
しかし、前記笠は一体に構成されて常に一定形状を保持しているとともに、前記笠はこれを支持する支持体からも簡単に取り外すこともできず、植物の成長段階に拘わらず、光の照射範囲は一定であった。したがって、この従来の植物栽培用照明器具では、植物の成長段階によっては、発光体から植物への光の照射効率が低下したり、植物全体に光を照射することができなくなってしまう。
【０００４】
これに対し、下記特許文献２に開示されている植物栽培装置は、植物が植え付けられる栽培パネルと、 発光ダイオード装置をそれぞれ含む一又は複数の個別光源と、 前記一又は複数の個別光源に駆動電流を供給する電流供給手段と、 前記一又は複数の個別光源から出射された光を前記栽培パネルに植え付けられた植物に照射するためにそれぞれが所定の照射領域を有するように屈折させる一又は複数の光学素子と、 植物が成長するに連れてより広い受光範囲内に位置するように、前記一又は複数の光学素子に係る一又は複数の前記照射領域に対して、前記栽培パネルを相対的に移動させる移動手段とを備えている。
【０００５】
この従来の植物栽培装置によれば、植物の成長に合わせて植物の存在範囲及びその近傍だけを受光範囲にすることが可能なので、ＬＥＤ装置から植物への光の照射効率が大幅に高められ、栽培パネルに照射される光の比率が少なくなり、エネルギーの有効利用を図ることができる。
【先行技術文献】
【特許文献】
【０００６】
【特許文献１】特許５４７３４３０号公報
【特許文献２】特開２０１３−１５８３１７号公報
【発明の概要】
【発明が解決しようとする課題】
【０００７】
しかしながら、前記特許文献２に開示された従来の植物栽培装置では、前記一又は複数の個別光源から出射された光を前記栽培パネルに植え付けられた植物に照射するためにそれぞれが所定の照射領域を有するように屈折させる一又は複数の光学素子を用いているので、当該屈折させる一又は複数の光学素子のコストは比較的高くならざるを得ないことから、全体のコストも増大してしまう。
【０００８】
本発明は、このような事情に鑑みてなされたもので、発光部から植物への光の照射効率を高めることができるにも拘わらず、コスト低減を図ることができる植物栽培用照明器具、及び、これを用いた植物の栽培方法を提供することを目的とする。
【課題を解決するための手段】
【０００９】
前記課題を解決するための手段として、以下の各態様を提示する。第１の態様による植物栽培用照明器具は、第１の方向に延在する支持部材と、前記支持部材により支持され前記第１の方向に延在又は配列する１つ又は複数の発光部と、前記支持部材の前記第１の方向と直交する第２の方向の一方側及び他方側にそれぞれ、前記第１の方向の軸線回りに前記支持部材に対して相対的に回動変位可能にかつ前記支持部材に対する複数の回動変位位置に保持可能に取り付けられた第１及び第２の反射部材と、を備え、前記第１及び第２の反射部材は、前記第１の方向に延在して前記１つ又は複数の発光部からの光の一部を反射して、前記１つ又は複数の発光部からの光の、前記第１の方向と直交する面内の照射範囲を、前記複数の回動変位位置に応じて広狭が互いに異なる照射範囲に設定するものである。
【００１０】
この第１の態様によれば、前記第１及び第２の反射部材の回動変位位置を変更することにより前記照射範囲の広狭を設定することができるので、植物の成長に合わせて前記照射範囲を設定することができ、発光部から植物への光の照射効率を高めることができ、ひいては、エネルギーの有効利用を図ることができる。
【００１１】
そして、前記第１の態様によれば、前記第１の方向に延在し互いに別々の部材をなす第１及び第２の反射部材が用いられているので、光源部からの光を屈折させる光学素子を用いて照射範囲を可変にする場合に比べて、コストを低減することができる。
【００１２】
なお、前記特許文献１は、一体に構成された笠を開示しているにすぎないので、前記特許文献１は、前記第１の態様のような別々の部材である第１及び第２の反射部材を採用したり、それらをそれぞれ回動変位可能かつ複数の回動変位位置に保持可能に支持部材に取り付けることを開示も示唆もしていない。
【００１３】
第２の態様による植物栽培用照明器具は、前記第１の態様において、前記第１及び第２の反射部材は、フリーストップヒンジを介して前記支持部材に取り付けられたものである。
【００１４】
この第２の態様は、第１及び第２の反射部材の支持部材への取り付け機構の例を挙げたものである。もっとも、前記第１の態様では、そのような取り付け機構はフリーストップヒンジに限らず、例えば、通常のヒンジを用いて第１及び第２の反射部材を回動自在とし、第１及び第２の反射部材を所定の回動変位位置に保持する任意の保持機構を採用してもよい。
【００１５】
第３の態様による植物栽培用照明器具は、第１の方向に延在する支持部材と、前記支持部材により支持され前記第１の方向に延在又は配列する１つ又は複数の発光部と、前記支持部材の前記第１の方向と直交する第２の方向の一方側及び他方側にそれぞれ取り外し可能に取り付けられ、前記第１の方向に延在して前記１つ又は複数の発光部からの光の一部を反射して、前記１つ又は複数の発光部からの光の、前記第１の方向と直交する面内の照射範囲を設定する第１及び第２の反射部材と、を備えたものである。
【００１６】
この第３の態様によれば、前記第１及び第２の反射部材が前記支持部材にそれぞれ取り外し可能に取り付けられるので、前記支持部材に前記第１及び第２の反射部材を取り付けることで前記照射範囲を相対的に狭めることができ、前記支持部材から前記第１及び第２の反射部材を取り外すことで前記照射範囲を相対的に広げることができ、植物の成長に合わせて前記照射範囲を設定することができ、発光部から植物への光の照射効率を高めることができ、ひいては、エネルギーの有効利用を図ることができる。また、前記第３の態様によれば、前記第１及び第２の反射部材が前記支持部材にそれぞれ取り外し可能に取り付けられるので、前記照射範囲の広狭が各組ごとに異なる複数組の前記第１及び第２の反射部材を用意しておけば、前記支持部材に取り付ける前記第１及び第２の反射部材の組を付け替えることにより前記照射範囲の広狭を設定することができることから、植物の成長に合わせて前記照射範囲を設定することができ、発光部から植物への光の照射効率を高めることができ、ひいては、エネルギーの有効利用を図ることができる。なお、前記第１及び第２の反射部材の組を付け替えるだけでなく、いずれの組の前記第１及び第２の反射部材をも前記支持部材から取り外すことで、前記照射範囲を更に広く設定することもできる。
【００１７】
そして、前記第３の態様によれば、前記第１の方向に延在し互いに別々の部材をなす第１及び第２の反射部材が用いられているので、光源部からの光を屈折させる光学素子を用いて照射範囲を可変にする場合に比べて、コストを低減することができる。
【００１８】
第４の態様による植物栽培用照明器具は、前記第３の態様において、前記第１の反射部材及び前記支持部材に、互いに係合する第１及び第２の係合部がそれぞれ設けられ、前記第１の反射部材の前記第１の係合部は、前記第１の方向及び前記第２の方向が水平方向とされた状態で、前記支持部材の前記第２の係合部に対して、上方から係合可能であるとともに前記支持部材の前記第２の係合部に対して上方へ移動させることで係合解除可能であり、前記第２の反射部材及び前記支持部材に、互いに係合する第３及び第４の係合部がそれぞれ設けられ、前記第２の反射部材の前記第３の係合部は、前記第１の方向及び前記第２の方向が水平方向とされた状態で、前記支持部材の前記第４の係合部に対して、上方から係合可能であるとともに前記支持部材の前記第４の係合部に対して上方へ移動させることで係合解除可能であるものである。
【００１９】
この第４の態様は、前記第１及び第２の反射部材の支持部材への取り外し可能な取り付け構造の例を挙げたものである。そして、前記第４の態様では、前記第１の係合部が第２の係合部に対して上方から係合可能であるとともに上方へ移動させることで係合解除可能であるとともに、前記第３の係合部が第４の係合部に対して上方から係合可能であるとともに上方へ移動させることで係合解除可能であるので、前記支持部材に対する前記第１及び第２の反射部材の取り付け及び取り外しが容易になる。
【００２０】
第５の態様による植物栽培用照明器具は、前記第３の態様において、前記第１の反射部材及び前記支持部材に、互いに係合する第１及び第２の係合部がそれぞれ設けられ、前記第１の反射部材の前記第１の係合部は、前記支持部材の前記第２の係合部に対して、前記第２の係合部の前記第１の方向の端部から係合可能であるとともに前記支持部材の前記第２の係合部に対して前記第１の方向へ移動させることで係合解除可能であり、前記第１及び第２の係合部は、互いに係合している状態において、前記第１の係合部が前記第２の係合部に対して前記第１の方向以外の方向に相対的に移動しないように規制し、前記第２の反射部材及び前記支持部材に、互いに係合する第３及び第４の係合部がそれぞれ設けられ、前記第２の反射部材の前記第３の係合部は、前記支持部材の前記第４の係合部に対して、前記第４の係合部の前記第１の方向の端部から係合可能であるとともに前記支持部材の前記第４の係合部に対して前記第１の方向へ移動させることで係合解除可能であり、前記第３及び第４の係合部は、互いに係合している状態において、前記第３の係合部が前記第４の係合部に対して前記第１の方向以外の方向に相対的に移動しないように規制するものである。
【００２１】
この第５の態様は、前記第１及び第２の反射部材の支持部材への取り外し可能な取り付け構造の他の例を挙げたものである。そして、前記第５の態様では、前記支持部材に対する前記第１及び第２の反射部材の取り付け及び取り外しが、前記第４の態様ほどには容易ではないものの、前記第１及び第２の係合部は、互いに係合している状態において、前記第１の係合部が前記第２の係合部に対して前記第１の方向以外の方向に相対的に移動しないように規制し、前記第３及び第４の係合部も同様であるので、前記第４の態様に比べて、振動や接触などにより前記第１及び第２の反射部材が前記支持部材から不用意に外れてしまうような事態を招き難くなる。
【００２２】
第６の態様による植物の栽培方法は、前記第１又は第２の態様による植物栽培用照明器具を用いて前記１つ又は複数の発光部からの光を植物に照射することで植物を栽培する植物の栽培方法であって、前記植物の成長の相対的な前段階では、前記植物の成長の相対的な後段階に比べて、前記照射範囲が相対的に狭まるように、前記第１及び第２の反射部材の回動位置を設定するものである。
【００２３】
この第６の態様によれば、植物の成長に合わせて前記照射範囲を設定することができ、発光部から植物への光の照射効率を高めることができ、ひいては、エネルギーの有効利用を図ることができる。
【００２４】
第７の態様による植物の栽培方法は、前記第３乃至第５のいずれかの態様による植物栽培用照明器具を用いて前記１つ又は複数の発光部からの光を植物に照射することで植物を栽培する植物の栽培方法であって、前記植物の成長の相対的な前段階では、前記第１及び第２の反射部材を前記支持部材に取り付け、前記植物の成長の相対的な後段階では、前記第１及び第２の反射部材を前記支持部材から取り外すものである。
【００２５】
この第７の態様によれば、植物の成長に合わせて前記照射範囲を設定することができ、発光部から植物への光の照射効率を高めることができ、ひいては、エネルギーの有効利用を図ることができる。
【００２６】
第８の態様による植物の栽培方法は、前記第３乃至第５のいずれかの態様による植物栽培用照明器具を用いて前記１つ又は複数の発光部からの光を植物に照射することで植物を栽培する植物の栽培方法であって、前記照射範囲の広狭が各組ごとに異なる複数組の前記第１及び第２の反射部材を用意し、前記植物の成長の相対的な前段階では、前記照射範囲が相対的に狭い前記第１及び第２の反射部材の組を前記支持部材に選択的に取り付け、前記植物の成長の相対的な後段階では、前記照射範囲が相対的に広い前記第１及び第２の反射部材の組を前記支持部材に選択的に取り付けるものである。
【００２７】
この第８の態様によれば、植物の成長に合わせて前記照射範囲を設定することができ、発光部から植物への光の照射効率を高めることができ、ひいては、エネルギーの有効利用を図ることができる。
【発明の効果】
【００２８】
本発明によれば、発光部から植物への光の照射効率を高めることができるにも拘わらず、コスト低減を図ることができる植物栽培用照明器具、及び、これを用いた植物の栽培方法を提供することができる。
【図面の簡単な説明】
【００２９】
【図１】本発明の第１の実施の形態による植物栽培用照明器具の、照射範囲を比較的狭めた状態を示す概略横断面図である。
【図２】本発明の第１の実施の形態による植物栽培用照明器具の、図１と同じ状態を示す概略右側面図である。
【図３】本発明の第１の実施の形態による植物栽培用照明器具の、照射範囲を比較的広げた状態を示す概略横断面図である。
【図４】本発明の第２の実施の形態による植物栽培用照明器具の、第１及び第２の反射部材を取り外した状態を示す概略横断面図である。
【図５】本発明の第２の実施の形態による植物栽培用照明器具の、照射範囲を比較的狭める第１及び第２の反射部材を取り付けた状態を示す概略横断面図である。
【図６】本発明の第２の実施の形態による植物栽培用照明器具の、照射範囲を比較的広げる第１及び第２の反射部材を取り付けた状態を示す概略横断面図である。
【図７】本発明の第３の実施の形態による植物栽培用照明器具の、第１及び第２の反射部材を取り外した状態を示す概略横断面図である。
【図８】本発明の第３の実施の形態による植物栽培用照明器具の、照射範囲を比較的狭める第１及び第２の反射部材を取り付けた状態を示す概略横断面図である。
【図９】本発明の第３の実施の形態による植物栽培用照明器具の、照射範囲を比較的広げる第１及び第２の反射部材を取り付けた状態を示す概略横断面図である。
【図１０】比較例による植物栽培用照明器具の使用例を模式的に示す図である。
【図１１】本発明による植物栽培用照明器具の使用例を模式的に示す図である。
【発明を実施するための形態】
【００３０】
以下、本発明による植物栽培用照明器具及びこれを用いた植物の栽培方法について、図面を参照して説明する。
【００３１】
［第１の実施の形態］
【００３２】
図１は、本発明の第１の実施の形態による植物栽培用照明器具１の、照射範囲を比較的狭めた状態を示す概略横断面図である。図２は、図１に示す植物栽培用照明器具１の、図１と同じ状態を示す概略右側面図である。図１は、図２中のＺ１−Ｚ２線に沿った概略断面図に相当している。図３は、図１に示す植物栽培用照明器具１の、照射範囲を比較的広げた状態を示す概略横断面図である。図１及び図３において、ＬＥＤ１２からの一部の光線の様子を一点鎖線により示している。この点は、後述する図４乃至図９についても同様である。
【００３３】
説明の便宜上、図１乃至図３に示すように、互いに直交するＸ軸、Ｙ軸及びＺ軸を定義する。Ｘ軸方向のうち矢印の向きを＋Ｘ方向又は＋Ｘ側、その反対の向きを−Ｘ方向又は−Ｘ側と呼び、Ｙ軸方向及びＺ軸方向についても同様である。この点は、後述する各図についても同様である。
【００３４】
本実施の形態による植物栽培用照明器具１は、植物工場等において、Ｘ軸方向及びＹ軸方向が水平方向、＋Ｚ方向が上方向、−Ｚ方向が下方向となるように設置される。図面には示していないが、本実施の形態による植物栽培用照明器具１は、その下方においてＹ軸方向に１列に所定間隔をあけて並んだ複数の栽培植物へ光を照射するようになっている。本実施の形態による植物栽培用照明器具１は、植物工場等において必要に応じて複数設置される。
【００３５】
本実施の形態による植物栽培用照明器具１は、Ｙ軸方向（第１の方向）に延在する支持部材１１と、支持部材１１により支持されＹ軸方向に配列する複数の発光部としての複数のＬＥＤ１２と、第１の反射部材１３Ａと、第２の反射部材１３Ｂと、ＬＥＤ１２を搭載したプリント基板１４と、透光性を有するガラス又はアクリル等からなる窓板１５とを備えている。
【００３６】
本実施の形態は、複数のＬＥＤ１２は、Ｙ軸方向に１列に配列しているが、２列以上に配列してもよい。また、本発明では、複数のＬＥＤ１２に代えて、例えば、Ｙ軸方向に延在する１つの発光部として、直管の蛍光ランプまたは直管形のＬＥＤランプを用いてもよい。
【００３７】
本実施の形態では、支持部材１１は、図１及び図３に示すように、−Ｚ側に開口した断面コ字状に構成され、その開口部が窓板１５により閉塞されている。窓板１５は、その＋Ｘ側部分及び−Ｘ側部分が支持部材１１の＋Ｘ側部分１１ａ及び−Ｘ側部分１１ｂに形成された溝にそれぞれ嵌合されることによって、支持部材１１に取り付けられている。ＬＥＤ１２を搭載したプリント基板１４は、ＬＥＤ１２が−Ｚ側に向かうように、ＸＹ平面と平行な支持部材１１の内側面に固定されている。ＬＥＤ１２から発した光は、窓板１５を介して外部へ射出される。本実施の形態では、支持部材１１及び窓板１５は、ＬＥＤ１２を搭載したプリント基板１４を収容する筐体を構成している。
【００３８】
本実施の形態では、第１及び第２の反射部材１３Ａ，１３Ｂは、支持部材１１のＸ軸方向（第２の方向）の＋Ｘ側及び−Ｘ側にそれぞれ、Ｙ軸方向（第１の方向）の軸線回りに支持部材１１に対して相対的に回動変位可能にかつ支持部材１１に対する複数の回動変位位置に保持可能に取り付けられている。そして、図１及び図３に示すように、第１及び第２の反射部材１３Ａ，１３Ｂは、Ｙ軸方向に延在してＬＥＤ１２からの光の一部を反射して、ＬＥＤ１２からの光の、ＸＺ平面と平行な面内の照射範囲を、前記複数の回動変位位置に応じて広狭が互いに異なる照射範囲に設定するようになっている。
【００３９】
具体的には、本実施の形態では、第１の反射部材１３Ａは、フリーストップヒンジ１６Ａを介して支持部材１１の＋Ｘ側部分１１ａに取り付けられている。フリーストップヒンジ１６Ａは、Ｙ軸方向に延在する軸部１６Ａａと、支持部材１１の＋Ｘ側部分１１ａに固定された蝶番片１６Ａｂと、第１の反射部材１３Ａに固定された蝶番片１６Ａｃとを有し、軸部１６Ａａ回りの軸部１６Ａａ，１６Ａｂ間の開き角度を任意の角度にしてその角度を保持し得るようになっている。
【００４０】
また、第２の反射部材１３Ｂは、フリーストップヒンジ１６Ｂを介して支持部材１１の−Ｘ側部分１１ｂに取り付けられている。フリーストップヒンジ１６Ｂは、Ｙ軸方向に延在する軸部１６Ｂａと、支持部材１１の−Ｘ側部分１１ｂに固定された蝶番片１６Ｂｂと、第２の反射部材１３Ｂに固定された蝶番片１６Ｂｃとを有し、軸部１６Ｂａ回りの軸部１６Ｂａ，１６Ｂｂ間の開き角度を任意の角度にしてその角度を保持し得るようになっている。
【００４１】
なお、本発明では、第１及び第２の反射部材１３Ａ，１３Ｂの支持部材１１への取り付け機構は、フリーストップヒンジ１６Ａ，１６Ｂに限らず、例えば、通常のヒンジを用いて第１及び第２の反射部材１３Ａ，１３Ｂを回動自在とし、第１及び第２の反射部材１３Ａ，１３Ｂを所定の回動変位位置に保持する任意の保持機構を採用してもよい。
【００４２】
第１及び第２の反射部材１３Ａ，１３Ｂは、例えば、アルミニウムまたはアルミニウム合金、及び樹脂の押し出し成型により製造することができる。第１の反射部材１３Ａの−Ｘ側の面及び第２の反射部材１３Ｂの＋Ｘ側の面が、反射面となっている。本実施の形態では、反射面は、図１及び図２に示すように湾曲した曲面となっているが、他の曲面としてもよいし、平面としてもよい。反射面には、反射率をより高めるため、必要に応じて所望の反射層を形成してもよい。
【００４３】
本実施の形態による植物栽培用照明器具１を用いてＬＥＤ１２からの光を植物に照射することで植物を栽培する場合には、前記植物の成長の相対的な前段階では、前記植物の成長の相対的な後段階に比べて、前記照射範囲が相対的に狭まるように、第１及び第２の反射部材１３Ａ，１３Ｂの回動位置を設定する。例えば、植物がある程度成長するまでは、図１に示すように第１及び第２の反射部材１３Ａ，１３Ｂの回動位置を設定して前記照射範囲を狭めておき、その後は、図３に示すように第１及び第２の反射部材１３Ａ，１３Ｂの回動位置を設定して前記照射範囲を広げる。なお、前記照射範囲は、２段階に変えることに限られるものではなく、植物の成長に応じてより多くの段階に変えるようにしてもよい。
【００４４】
本実施の形態によれば、第１及び第２の反射部材１３Ａ，１３Ｂの回動変位位置を変更することにより前記照射範囲の広狭を設定することができるので、植物の成長に合わせて前記照射範囲を設定することができ、ＬＥＤ１２から植物への光の照射効率を高めることができ、ひいては、エネルギーの有効利用を図ることができる。
【００４５】
図１０は、本発明と比較される比較例による植物栽培用照明器具の使用例を模式的に示す図である。この比較例では、植物の成長段階に拘わらずに光の照射範囲が一定であるため、図１０に示すように植物に照射されない無駄な光が多くなってしまい、植物への光の照射効率が低下してしまう。これに対し、図１１は、本発明による植物栽培用照明器具の使用例として、前述したようにして植物が成長するにつれて前記照射範囲を広げる様子を模式的に示している。本発明では、図１１に示すように、植物の成長に合わせて前記照射範囲を設定することができ、ＬＥＤ１２から植物への光の照射効率を高めることができ、ひいては、エネルギーの有効利用を図ることができる。
【００４６】
そして、本実施の形態によれば、Ｙ軸方向に延在し互いに別々の部材をなす第１及び第２の反射部材１３Ａ，１３Ｂが用いられているので、光源部からの光を屈折させる光学素子を用いて照射範囲を可変にする場合に比べて、コストを低減することができる。
【００４７】
［第２の実施の形態］
【００４８】
図４は、本発明の第２の実施の形態による植物栽培用照明器具２１の、第１及び第２の反射部材１３Ａ，１３Ｂを取り外した状態を示す概略横断面図である。図５は、本発明の第２の実施の形態による植物栽培用照明器具２１の、照射範囲を比較的狭める第１及び第２の反射部材１３Ａ，１３Ｂを取り付けた状態を示す概略横断面図である。図６は、本発明の第２の実施の形態による植物栽培用照明器具の、照射範囲を比較的広げる第１及び第２の反射部材１３Ａ，１３Ｂを取り付けた状態を示す概略横断面図である。
【００４９】
図４乃至図６において、図１乃至図３中の要素と同一又は対応する要素には同一符号を付し、その重複する説明は省略する。
【００５０】
本実施の形態による植物栽培用照明器具２１が前記第１の実施の形態による植物栽培用照明器具１と異なる所は、前記第１の実施の形態による植物栽培用照明器具１では、第１及び第２の反射部材１３Ａ，１３Ｂがフリーストップヒンジ１６Ａ，１６Ｂをそれぞれ介して支持部材１１の＋Ｘ側部分１１ａ及び−Ｘ側部分１１ｂにそれぞれ取り付けられているのに対し、本実施の形態による植物栽培用照明器具２１では、第１及び第２の反射部材１３Ａ，１３Ｂが支持部材１１の＋Ｘ側部分１１ａ及び−Ｘ側部分１１ｂにそれぞれ取り外し可能に取り付けられる点である。
【００５１】
本実施の形態では、第１の反射部材１３Ａの＋Ｚ側部分及び支持部材１１の＋Ｘ側部分１１ａに、互いに係合する第１の係合部１３Ａａ及び第２の係合部１１ａａがそれぞれ設けられている。本実施の形態では、第１の反射部材１３Ａの第１の係合部１３Ａａは、Ｙ軸方向及びＸ軸方向が水平方向とされた状態で、支持部材１１の第２の係合部１１ａａに対して、上方から係合可能であるとともに支持部材１１の第２の係合部１１ａａに対して上方へ移動させることで係合解除可能となっている。本実施の形態では、具体的には、第２の係合部１１ａａはフック部として構成され、第１の係合部１３Ａａは当該フック部に引っ掛けられる引っ掛け部として構成されている。
【００５２】
また、本実施の形態では、第２の反射部材１３Ｂの＋Ｚ側部分及び支持部材１１の−Ｘ側部分１１ｂに、互いに係合する第３の係合部１３Ｂａ及び第４の係合部１１ｂａがそれぞれ設けられている。本実施の形態では、第２の反射部材１３Ｂの第３の係合部１３Ｂａは、Ｙ軸方向及びＸ軸方向が水平方向とされた状態で、支持部材１１の第４の係合部１１ｂａに対して、上方から係合可能であるとともに支持部材１１の第４の係合部１１ｂａに対して上方へ移動させることで係合解除可能となっている。本実施の形態では、具体的には、第４の係合部１１ｂａはフック部として構成され、第３の係合部１３Ｂａは当該フック部に引っ掛けられる引っ掛け部として構成されている。
【００５３】
なお、本実施の形態においても、第１及び第２の反射部材１３Ａ，１３Ｂは、例えば、アルミニウムまたはアルミニウム合金、及び樹脂の押し出し成型により製造することができる。
【００５４】
本実施の形態では、例えば、前記照射範囲が比較的狭くなる図５に示す第１及び第２の反射部材１３Ａ，１３Ｂの組と、前記照射範囲が比較的広くなる図６に示す第１及び第２の反射部材１３Ａ，１３Ｂの組を、予め用意しておく。
【００５５】
そして、本実施の形態による植物栽培用照明器具２１を用いてＬＥＤ１２からの光を植物（図示せず）に照射することで植物を栽培する場合には、前記植物の成長の相対的な前段階では、前記照射範囲が比較的狭くなる図５に示す第１及び第２の反射部材１３Ａ，１３Ｂの組を支持部材１１に選択的に取り付けて、前記照射範囲を狭めておき、前記植物の成長の相対的な後段階では、前記照射範囲が比較的広くなる図６に示す第１及び第２の反射部材１３Ａ，１３Ｂの組を支持部材１１に選択的に取り付けて、前記照射範囲を広げる。その後、図６に示す第１及び第２の反射部材１３Ａ，１３Ｂの組を支持部材１１に取り付けたままにしておいてもよいが、前記植物が更にある程度まで成長した場合には、図４に示すように支持部材１１から第１及び第２の反射部材１３Ａ，１３Ｂを取り外して、前記照射範囲を更に広げてもよい。
【００５６】
なお、前記照射範囲の広狭が各組ごとに異なる３組以上の第１及び第２の反射部材１３Ａ，１３Ｂを用意しておき、それらの組を植物の成長に応じて照射範囲の狭い組から順次選択して交換していってもよい。また、第１及び第２の反射部材１３Ａ，１３Ｂを１組（例えば、図５に示す第１及び第２の反射部材の組）だけ用意しておき、植物がある程度成長するまでは、当該第１及び第２の反射部材１３Ａ，１３Ｂを支持部材１１に取り付け、その後は、支持部材１１から第１及び第２の反射部材１３Ａ，１３Ｂを取り外して、前記照射範囲を広げてもよい。
【００５７】
本実施の形態によれば、第１及び第２の反射部材１３Ａ，１３Ｂの取り付け・取り外しにより前記照射範囲の広狭を設定することができるので、植物の成長に合わせて前記照射範囲を設定することができ、ＬＥＤ１２から植物への光の照射効率を高めることができ、ひいては、エネルギーの有効利用を図ることができる。
【００５８】
そして、本実施の形態によれば、Ｙ軸方向に延在し互いに別々の部材をなす第１及び第２の反射部材１３Ａ，１３Ｂが用いられているので、光源部からの光を屈折させる光学素子を用いて照射範囲を可変にする場合に比べて、コストを低減することができる。
【００５９】
さらに、本実施の形態によれば、第１の係合部１３Ａａが第２の係合部１１ａａに対して上方から係合可能であるとともに上方へ移動させることで係合解除可能であるとともに、第３の係合部１３Ｂａが第４の係合部１１ｂａに対して上方から係合可能であるとともに上方へ移動させることで係合解除可能であるので、支持部材１１に対する第１及び第２の反射部材１３Ａ，１３Ｂの取り付け及び取り外しが容易になる。
【００６０】
［第３の実施の形態］
【００６１】
図７は、本発明の第３の実施の形態による植物栽培用照明器具３１の、第１及び第２の反射部材１３Ａ，１３Ｂを取り外した状態を示す概略横断面図である。図８は、本発明の第３の実施の形態による植物栽培用照明器具３１の、照射範囲を比較的狭める第１及び第２の反射部材１３Ａ，１３Ｂを取り付けた状態を示す概略横断面図である。図９は、本発明の第３の実施の形態による植物栽培用照明器具３１の、照射範囲を比較的広げる第１及び第２の反射部材１３Ａ，１３Ｂを取り付けた状態を示す概略横断面図である。
【００６２】
図７乃至図９において、図４乃至図６中の要素と同一又は対応する要素には同一符号を付し、その重複する説明は省略する。
【００６３】
本実施の形態による植物栽培用照明器具３１が前記第２の実施の形態による植物栽培用照明器具２１と異なる所は、第１の反射部材１３Ａの第１の係合部１３Ａａと支持部材１１の第２の係合部１１ａａとの間の係合状況と、第２の反射部材１３Ｂの第３の係合部１３Ｂａと支持部材１１の第４の係合部１１ｂａとの間の係合状況である。すなわち、本実施の形態では、第１の反射部材１３Ａの第１の係合部１３Ａａは、支持部材１１の第２の係合部１１ａａに対して、第２の係合部１１ａａのＹ軸方向の端部から係合可能であるとともに、支持部材１１の第２の係合部１１ａａに対してＹ軸方向へ移動させることで係合解除可能となっており、第１及び第２の係合部１３Ａａ，１１ａａは互いに係合している状態において第１の係合部１３Ａａが第２の係合部１１ａａに対してＹ軸方向以外の方向に相対的に移動しないように規制するようになっており、第２の反射部材１３Ｂの第３の係合部１３Ｂａは、支持部材１１の第４の係合部１１ｂａに対して、第４の係合部１１ｂａのＹ軸方向の端部から係合可能であるとともに、支持部材１１の第４の係合部１１ｂａに対してＹ軸方向へ移動させることで係合解除可能となっており、第３及び第４の係合部１３Ｂａ，１１ｂａは互いに係合している状態において第３の係合部１３Ｂａが第４の係合部１１ｂａに対してＹ軸方向以外の方向に相対的に移動しないように規制するようになっている。
【００６４】
なお、本実施の形態では、第１の反射部材１３Ａは、反射部１３Ａｂ及び第１の係合部１３Ａａの他に、反射部１３Ａｂと第１の係合部１３Ａａとの間を連結する連結部１３Ａｃを有している。第２の反射部材１３Ｂは、反射部１３Ｂｂ及び第３の係合部１３Ｂａの他に、反射部１３Ｂｂと第３の係合部１３Ｂａとの間を連結する連結部１３Ｂｃを有している。本実施の形態においても、第１及び第２の反射部材１３Ａ，１３Ｂは、例えば、アルミニウムまたはアルミニウム合金、及び樹脂の押し出し成型により製造することができる。
【００６５】
本実施の形態による植物栽培用照明器具３１は、植物を栽培する場合に前記第２の実施の形態による植物栽培用照明器具２１と同様に用いることで、前記第２の実施の形態と同様の利点を得ることができる。
【００６６】
また、本実施の形態によれば、支持部材１１に対する第１及び第２の反射部材１３Ａ，１３Ｂの取り付け及び取り外しが、前記第２の実施の形態ほどには容易ではないものの、第１及び第２の係合部１３Ａａ，１１ａａは、互いに係合している状態において、第１の係合部１３Ａａが第２の係合部１１ａａに対して前記Ｙ軸方向以外の方向に相対的に移動しないように規制し、第３及び第４の係合部１３Ｂａ，１１ｂａも同様であるので、前記第２の実施の形態に比べて、振動や接触などにより第１及び第２の反射部材１３Ａ，１３Ｂが支持部材１１から不用意に外れてしまうような事態を招き難くなる。
【００６７】
以上、本発明の各実施の形態について説明したが、本発明はこれらの実施の形態に限定されるものではない。
【００６８】
例えば、前記第１の実施の形態では、第１及び第２の反射部材１３Ａ，１３Ｂの回動変位位置の変更を手動で行うが、本発明では、植物の成長に応じて第１及び第２の反射部材１３Ａ，１３Ｂの回動変位位置の変更が自動的になされるようにしてもよい。
【符号の説明】
【００６９】
１，２１，３１  植物栽培用照明器具
１１  支持部材
１２  ＬＥＤ
１３Ａ，１３Ｂ  反射部材
１６  フリーストップヒンジ
１１ａａ，１３Ａａ，１１ｂａ，１３Ｂａ  係合部
【図１】
2019024433.tif 000003
【図２】
2019024433.tif 000004
【図３】
2019024433.tif 000005
【図４】
2019024433.tif 000006
【図５】
2019024433.tif 000007
【図６】
2019024433.tif 000008
【図７】
2019024433.tif 000009
【図８】
2019024433.tif 000010
【図９】
2019024433.tif 000011
【図１０】
2019024433.tif 000012
【図１１】
2019024433.tif 000013